(57)【特許請求の範囲】
【請求項１】
画像形成部により複数の記録媒体に連続して画像が形成された場合に、前記複数の記録媒体の各々が損紙であるか否か、かつ損紙については損紙の原因を表す損紙情報を取得する取得部と、
前記取得部が取得した損紙情報に応じて、前記記録媒体毎に損紙であるか否かを特定し、かつ損紙である場合は損紙の原因が判別可能な損紙状態表示画像を、画像が形成された時系列順に並べて表示部に表示させる制御を行う制御部と、
を備えた情報処理装置。
【請求項２】
前記制御部は、前記損紙の原因に応じて前記損紙状態表示画像の色を異ならせる制御を行うことにより前記損紙の原因を判別可能とする、
請求項１に記載の情報処理装置。
【請求項３】
前記制御部は、前記色と前記損紙の原因との対応関係を表す対応関係画像を前記表示部にさらに表示させる制御を行う、
請求項２に記載の情報処理装置。
【請求項４】
前記損紙の原因毎に優先度が予め定められており、
前記対応関係画像は、複数の前記色と前記損紙の原因との対応関係を、前記優先度に応じた並び順で表す画像である、
請求項３に記載の情報処理装置。
【請求項５】
前記制御部は、前記損紙の原因に応じたマークを前記損紙状態表示画像に重畳させて表示させることにより前記損紙の原因を判別可能とする、
請求項１に記載の情報処理装置。
【請求項６】
前記損紙の原因毎に優先度が予め定められており、
１枚の損紙に対して損紙の原因が複数有る場合、前記損紙状態表示画像は、前記損紙の原因のうち、最も優先度が高い原因が判別可能な画像である、
請求項１から請求項４のいずれか１項に記載の情報処理装置。
【請求項７】
前記制御部は、前記複数の記録媒体に画像が形成された時系列順における前記損紙の位置を表す損紙位置画像を前記表示部にさらに表示させる制御を行う、
請求項１から請求項６のいずれか１項に記載の情報処理装置。
【請求項８】
前記制御部は、ユーザにより指定された記録媒体から時系列順に並べて、所定の数の記録媒体の前記損紙状態表示画像を表示させる、
請求項１から請求項７のいずれか１項に記載の情報処理装置。
【請求項９】
再印刷を行う損紙の指示を受け付ける第１受付部と、
再印刷の実行の指示を受け付ける第２受付部と、
前記第２受付部が再印刷の実行の指示を受け付けた場合に、前記第１受付部が受け付けた損紙に応じた画像を前記画像形成部に再印刷させる再印刷指示を出力する出力部と、
をさらに備えた、請求項１から請求項８のいずれか１項に記載の情報処理装置。
【請求項１０】
前記損紙に関する情報、及び前記再印刷に関する情報の少なくとも一方を予め定められた装置に通知する通知部をさらに備えた、
請求項９に記載の情報処理装置。
【請求項１１】
前記画像形成部は、前記複数の記録媒体の両面に連続して画像を形成するものであり、
前記損紙状態表示画像は、前記記録媒体の表面及び裏面の各々について損紙であるか否かを特定し、かつ損紙である場合は損紙の原因が判別可能な画像である、
請求項１から請求項１０のいずれか１項に記載の情報処理装置。
【請求項１２】
前記画像形成部は、前記複数の記録媒体にバリアブル印刷により連続して画像を形成するものである、
請求項１から請求項１１のいずれか１項に記載の情報処理装置。
【請求項１３】
複数の記録媒体に連続して画像を形成する画像形成部と、
前記画像形成部により複数の記録媒体に連続して画像が形成された場合に、前記複数の記録媒体の各々が損紙であるか否か、かつ損紙については損紙の原因を表す損紙情報を取得する取得部と、
前記取得部が取得した損紙情報に応じて、前記記録媒体毎に損紙であるか否かを特定し、かつ損紙である場合は損紙の原因が判別可能な損紙状態表示画像を、画像が形成された時系列順に並べて表示部に表示させる制御を行う制御部と、
を備えた画像形成装置。
【請求項１４】
画像形成部により複数の記録媒体に連続して画像が形成された場合に、前記複数の記録媒体の各々が損紙であるか否か、かつ損紙については損紙の原因を表す損紙情報を取得し、
取得した損紙情報に応じて、前記記録媒体毎に損紙であるか否かを特定し、かつ損紙である場合は損紙の原因が判別可能な損紙状態表示画像を、画像が形成された時系列順に並べて表示部に表示させる制御を行う、
処理を含む表示制御方法。
【請求項１５】
画像形成部により複数の記録媒体に連続して画像が形成された場合に、前記複数の記録媒体の各々が損紙であるか否か、かつ損紙については損紙の原因を表す損紙情報を取得し、
取得した損紙情報に応じて、前記記録媒体毎に損紙であるか否かを特定し、かつ損紙である場合は損紙の原因が判別可能な損紙状態表示画像を、画像が形成された時系列順に並べて表示部に表示させる制御を行う、
処理を含む表示制御プログラム。
【発明の詳細な説明】
【技術分野】
【０００１】
本発明は、情報処理装置、画像形成装置、表示制御方法、及び表示制御プログラムに関する。
【背景技術】
【０００２】
従来、画像形成装置により記録媒体に画像を形成する（いわゆる印刷を行う）場合に、形成された画像に欠陥が生じる等により、損紙が発生することがあり、損紙が発生した場合に、ユーザ等に対して損紙が生じたことを表示する技術が知られている。例えば、特許文献１には、複数の記録媒体に連続して画像を形成した場合に、排紙トレイに積載された画像形成後の複数の記録媒体における損紙の積載位置を表示する技術が記載されている。【０００３】
損紙が発生したことを表す表示によりユーザは、例えば、損紙を確認し、必要に応じて画像形成装置に再印刷を行わせる。
【先行技術文献】
【特許文献】
【０００４】
【特許文献１】特開２０１４−１９８４６５号公報
【発明の概要】
【発明が解決しようとする課題】
【０００５】
しかしながら、損紙の原因により対処方法が異なる場合がある。また、損紙の原因、状態、及び損紙の位置（記録媒体の全体における何枚目が損紙であるか）等により、再印刷をどのように行わせるかが異なることがある。そのため、ユーザが再印刷を行わせにくい場合があった。例えば、特許文献１に記載の技術では、損紙の位置はわかるものの、損紙の原因を把握し難いため、ユーザが再印刷の実行の指示を行うことが容易ではない場合があった。【０００６】
本開示は、上記事情を考慮して成されたものであり、損紙が生じた場合の再印刷を容易に行うことができる、情報処理装置、画像形成装置、表示制御方法、及び表示制御プログラムを提供することを目的とする。
【課題を解決するための手段】
【０００７】
上記目的を達成するために、本開示の情報処理装置は、画像形成部により複数の記録媒体に連続して画像が形成された場合に、複数の記録媒体の各々が損紙であるか否か、かつ損紙については損紙の原因を表す損紙情報を取得する取得部と、取得部が取得した損紙情報に応じて、記録媒体毎に損紙であるか否かを特定し、かつ損紙である場合は損紙の原因が判別可能な損紙状態表示画像を、画像が形成された時系列順に並べて表示部に表示させる制御を行う制御部と、を備える。【０００８】
また、本開示の情報処理装置の制御部は、損紙の原因に応じて損紙状態表示画像の色を異ならせる制御を行うことにより損紙の原因を判別可能としてもよい。【０００９】
また、本開示の情報処理装置の制御部は、色と損紙の原因との対応関係を表す対応関係画像を表示部にさらに表示させる制御を行ってもよい。【００１０】
また、本開示の情報処理装置は、損紙の原因毎に優先度が予め定められており、対応関係画像は、複数の色と損紙の原因との対応関係を、優先度に応じた並び順で表す画像であってもよい。【００１１】
また、本開示の情報処理装置の制御部は、損紙の原因に応じたマークを損紙状態表示画像に重畳させて表示させることにより損紙の原因を判別可能としてもよい。【００１２】
また、本開示の情報処理装置は、損紙の原因毎に優先度が予め定められており、１枚の損紙に対して損紙の原因が複数有る場合、損紙状態表示画像は、損紙の原因のうち、最も優先度が高い原因が判別可能な画像であってもよい。【００１３】
また、本開示の情報処理装置の制御部は、複数の記録媒体に画像が形成された時系列順における損紙の位置を表す損紙位置画像を表示部にさらに表示させる制御を行ってもよい。【００１４】
また、本開示の情報処理装置の制御部は、ユーザにより指定された記録媒体から時系列順に並べて、所定の数の記録媒体の損紙状態表示画像を表示させてもよい。【００１５】
また、本開示の情報処理装置は、再印刷を行う損紙の指示を受け付ける第１受付部と、再印刷の実行の指示を受け付ける第２受付部と、第２受付部が再印刷の実行の指示を受け付けた場合に、第１受付部が受け付けた損紙に応じた画像を画像形成部に再印刷させる再印刷指示を出力する出力部と、をさらに備えていてもよい。【００１６】
また、本開示の情報処理装置は、損紙に関する情報、及び再印刷に関する情報の少なくとも一方を予め定められた装置に通知する通知部をさらに備えていてもよい。【００１７】
また、本開示の情報処理装置の画像形成部は、複数の記録媒体の両面に連続して画像を形成するものであり、損紙状態表示画像は、記録媒体の表面及び裏面の各々について損紙であるか否かを特定し、かつ損紙である場合は損紙の原因が判別可能な画像であってもよい。【００１８】
また、本開示の情報処理装置の画像形成部は、複数の記録媒体にバリアブル印刷により連続して画像を形成するものであってもよい。【００１９】
また、本開示の画像形成装置は、複数の記録媒体に連続して画像を形成する画像形成部と、画像形成部により複数の記録媒体に連続して画像が形成された場合に、複数の記録媒体の各々が損紙であるか否か、かつ損紙については損紙の原因を表す損紙情報を取得する取得部と、取得部が取得した損紙情報に応じて、記録媒体毎に損紙であるか否かを特定し、かつ損紙である場合は損紙の原因が判別可能な損紙状態表示画像を、画像が形成された時系列順に並べて表示部に表示させる制御を行う制御部と、を備える。【００２０】
また、本開示の表示制御方法は、画像形成部により複数の記録媒体に連続して画像が形成された場合に、複数の記録媒体の各々が損紙であるか否か、かつ損紙については損紙の原因を表す損紙情報を取得し、取得した損紙情報に応じて、記録媒体毎に損紙であるか否かを特定し、かつ損紙である場合は損紙の原因が判別可能な損紙状態表示画像を、画像が形成された時系列順に並べて表示部に表示させる制御を行う処理を含む。【００２１】
また、本開示の表示制御プログラムは、画像形成部により複数の記録媒体に連続して画像が形成された場合に、複数の記録媒体の各々が損紙であるか否か、かつ損紙については損紙の原因を表す損紙情報を取得し、取得した損紙情報に応じて、記録媒体毎に損紙であるか否かを特定し、かつ損紙である場合は損紙の原因が判別可能な損紙状態表示画像を、画像が形成された時系列順に並べて表示部に表示させる制御を行う処理を含むものである。
なお、本明細書において「損紙の原因が判別可能な損紙状態表示画像」とは「損紙となった原因を表示する損紙状態表示画像」と同義であり、損紙の原因が判別可能な画像」とは「損紙となった原因を表示する画像」と同義である。
【発明の効果】
【００２２】
本開示によれば、損紙が生じた場合の再印刷を容易に行うことができる。
【図面の簡単な説明】
【００２３】
【図１】実施形態の画像形成装置の構成の一例を表すブロック図である。
【図２】実施形態の画像形成装置のタッチパネルディスプレイに表示される表示画像の一例を示す図である。
【図３】実施形態の画像形成装置のタッチパネルディスプレイに表示される表示画像の一例を示す図である。
【図４】実施形態の損紙状態表示画像を示す図である。
【図５】実施形態の損紙位置画像を示す図である。
【図６】実施形態の対応関係画像を示す図である。
【図７】実施形態の画像形成装置の制御部が実行する表示制御処理の流れの一例を表したフローチャートである。
【図８】実施形態の画像形成装置及び情報処理装置の構成の一例を表すブロック図である。
【図９】実施形態の情報処理装置の制御部が実行する表示制御処理の流れの一例を表したフローチャートである。
【図１０】実施形態の画像形成装置のタッチパネルディスプレイに表示される表示画像の他の例を示す図である。
【発明を実施するための形態】
【００２４】
以下、図面を参照して本発明の実施形態を詳細に説明する。なお、本実施形態は本発明を限定するものではない。
【００２５】
まず、図１を参照して、本実施形態の画像形成装置１０の構成について説明する。図１は、本実施形態の画像形成装置１０の構成の一例を表すブロック図である。本実施形態の画像形成装置１０は、記録媒体に画像を形成する、いわゆるデジタル印刷機である。なお、記録媒体として用いる媒体は特に限定されず、例えば、上質紙、コート紙、及びアート紙等のセルロースを主体とする紙等が挙げられる。
【００２６】
図１に示すように本実施形態の画像形成装置１０は、制御部２０、画像読取部２１、画像形成部２２、インラインセンサ２４、記憶部２６、表示部駆動部２８、表示部３０、操作入力検出部３２、操作部３４、及びＩ／Ｆ（Interface）部３６を備える。
【００２７】
制御部２０、画像読取部２１、画像形成部２２、インラインセンサ２４、記憶部２６、表示部駆動部２８、操作入力検出部３２、及びＩ／Ｆ部３６は、システムバスやコントロールバス等のバス３９を介して相互に各種情報の授受が可能に接続されている。
【００２８】
本実施形態の制御部２０は、画像形成装置１０の全体の動作を制御する。本実施形態の制御部２０は、ＣＰＵ（Central Processing Unit）２０Ａ、ＲＯＭ（Read Only Memory）２０Ｂ、及びＲＡＭ（Random Access Memory）２０Ｃを備える。ＲＯＭ２０Ｂには、ＣＰＵ２０Ａで実行される各種のプログラム等が予め記憶されている。ＲＡＭ２０Ｃは、各種データを一時的に記憶する。本実施形態の制御部２０が、本開示の取得部、制御部、第１受付部、第２受付部出力部、及び通知部の一例に対応する。
【００２９】
画像読取部２１は、記録媒体に形成された画像を読み取り、読み取った画像を表す画像データを生成する、いわゆるスキャナの機能を有する。画像形成部２２は、画像読取部２
１が生成した画像データや、Ｉ／Ｆ部３６を介して受け付けた画像データ等に基づいて、記録媒体に画像を形成する機能を有する。本実施形態の画像形成部２２は、いわゆるバリアブル印刷により画像を形成するものである。また、本実施形態の画像形成部２２は、記録媒体の両面（表面及び裏面）に画像を形成するものである。
【００３０】
インラインセンサ２４は、画像形成部２２により記録媒体上に形成された画像を読み取って、読み取った画像を表す画像データを生成する機能を有する。
【００３１】
記憶部２６には、画像読取部２１により生成された画像データ、Ｉ／Ｆ部３６を介して受け付けた画像データ、及びその他の各種情報等が記憶される。記憶部２６の具体例としては、ＨＤＤ（Hard Disk Drive）やＳＳＤ（Solid State Drive）等が挙げられる。
【００３２】
表示部３０は、詳細を後述する損紙状態を表す情報等の各種情報を表示する。表示部駆動部２８は、制御部２０による制御に応じて表示部３０への各種情報の表示を制御する。
【００３３】
操作部３４は、再印刷に関する指示を含む、画像形成に関する指示等をユーザが入力するために用いられる。操作部３４は特に限定されるものではなく、例えば、タッチパネル、タッチペン、キーボード、及びマウス等が挙げられる。なお、本実施形態では、操作部３４と表示部３０とを一体化してタッチパネルディスプレイ３５としている。操作入力検出部３２は、操作部３４に対する操作状態を検出する。本実施形態の操作入力検出部３２は、本開示の第１受付部及び第２受付部に対応する。
【００３４】
Ｉ／Ｆ部３６は、無線通信または有線通信により、外部装置との間で各種情報の通信を行う。本実施形態のＩ／Ｆ部３６が、本開示の通知部の一例に対応する。
【００３５】
本実施形態の画像形成装置１０の制御部２０は、画像形成部２２により複数の記録媒体に連続して画像が形成された場合に、損紙の発生に関する状況を表す表示画像をタッチパネルディスプレイ３５に表示させる制御を行う。
【００３６】
まず、本実施形態における損紙の発生に関する状況を表す表示画像について説明する。図２及び図３には、表示画像５０の一例について表す図を示す。図２及び図３に示すように、表示画像５０には、複数の画像が含まれている。なお、図２では、見易さの観点から、表示画像５０に含まれる各画像に付与されている符号の記載を省略したものを示す。以下では、図３を参照して各画像の詳細について説明する。
【００３７】
表示画像５０の第１表示領域５２には、記録媒体毎の損紙状態に関する情報を表す損紙状態表示画像５４が、画像が形成された時系列順に並べて表示されている。なお、本実施形態の画像形成装置１０では、画像が形成された時系列順に記録媒体について１枚目、２枚目・・・として、用紙番号を付与している。
【００３８】
本実施形態の損紙状態表示画像５４には、一例として、図４に示すように、対応する記録媒体が、連続して画像が形成さ記録媒体のうちの何枚目に当たるかを表す用紙番号５４Ａと、表面の印刷結果を表す画像５４Ｂと、裏面の印刷結果を表す画像５４Ｃと、が含まれている。図４に示した用紙番号５４Ａは、記録媒体が６枚目であることを表している。また、画像５４Ｂは、表面の印刷結果として損紙であることと、損紙の原因とを表している。また、画像５４Ｃは、裏面の印刷結果として損紙ではないことを表している。
【００３９】
本実施形態の画像形成装置１０では、損紙であるか否かを画像５４Ｂ及び画像５４Ｃの色を異ならせることで表現している。なお、図３及び図３では、便宜上、画像の色の違いをハッチングの違いを用いて表現している。画像５４Ｃに示すように、ハッチングが施されていない場合は、損紙ではないことを表している。また、本実施形態の画像形成装置１０では、さらに損紙の原因に応じて画像５４Ｂ及び画像５４Ｃの色を異ならせている。なお、１枚の損紙である面において損紙の原因が複数有る場合は、画像５４Ｂ及び画像５４Ｃの色を損紙の原因の優先度（詳細後述）が最も高い原因に応じた色としている。損紙の原因と、色との関係については詳細を後述する。なお、損紙の原因について、またどのような状態を「損紙」とするかは、予め定めておけばよく、特に限定されない。本実施形態における損紙の原因については、詳細を後述する。
【００４０】
図３に示すように、第１表示領域５２は、表示可能な損紙状態表示画像５４の数に制限があるため、画像が形成された記録媒体のうち、一部の記録媒体についてのみ損紙状態表示画像５４が表示される場合がある。複数の記録媒体に連続して画像が形成されてから初めて表示画像５０をタッチパネルディスプレイ３５に表示させた場合の初期状態の表示画像５０では、一例として図３に示すように１枚目から順に、損紙状態表示画像５４が第１領域５２に並べられて表示される。
【００４１】
また、表示画像５０の第２表示領域５６には、記録媒体に画像が形成された時系列順における損紙の位置、すなわち何枚目の記録媒体が損紙であるかを表す損紙位置画像５８が表示されている。
【００４２】
例えば、一例として図５に示すように、本実施形態の損紙位置画像５８には、記録媒体の全体の分量を表すバー画像５８Ａと、スライダ画像５８Ｂと、損紙の数を表す数字５８Ｃとが含まれている。図５に示したバー画像５８Ａは、図５における左側の端部を記録媒体の１枚目の位置とし、右側の端部を最後の記録媒体の位置としている。図５に示した損紙位置画像５８では、全画像形成枚数の最初（１枚目）から３割位の位置に、１枚の損紙があり、６割位の位置に７枚の損紙があり、７割位の位置に３枚の損紙があることを表している。なお、本実施形態の画像形成装置１０では、表面のみが損紙である場合、裏面のみが損紙である場合、及び両面が損紙である場合のいずれについても損紙が「１枚」としてカウントしている。
【００４３】
スライダ画像５８Ｂは、ユーザの操作によりバー画像５８Ａに沿って移動が可能とされている。スライダ画像５８Ｂをタッチパネルディスプレイ３５を介してスライドさせることにより、第１領域５２には、スライダ画像５８Ｂの位置に対応する記録媒体から順に、損紙状態表示画像５４が第１領域５２に並べられて表示される。なお、本形態に限定されず、例えば、ユーザがタッチパネルディスプレイ３５上で表示画像５０の第１領域５２をスクロール等して指定することにより、第１領域５２に、ユーザが指定した記録媒体から順に、損紙状態表示画像５４が第１領域５２に並べられて表示される形態としてもよい。
【００４４】
また表示画像５０の第３表示領域６０には、損紙の原因を判別可能とするための色と、損紙の原因との対応関係を表す対応関係画像６２が表示されている。
【００４５】
例えば、図６に示した対応関係画像６２では、損紙の原因毎に、損紙の原因を選択するための選択ボタン６２Ａと、色画像６２Ｂと、損紙の原因を表す文字６２Ｃと、損紙の数を表す数字６２Ｄと、が上記対応関係として、損紙の原因の優先度順に並んでいる。例えば、図６に示す例では、損紙の原因の優先度が高い順に上から並んでいる。なお、損紙の原因の優先度は、画像形成装置１０の用途に応じて予め定められていてもよいし、タッチパネルディスプレイ３５等を用いて、ユーザが適宜設定してもよい。また、制御部２０が、損紙が発生する頻度を損紙の原因毎に記録し、頻度が高い原因ほど優先度を高く設定してもよい。
【００４６】
本実施形態の画像形成装置１０では、文字６２Ｃで示したものを損紙の原因として採用している。例えば、「Lead Misregistration」とは、いわゆる当てとび見当不良であり、画像形成部２２による画像形成において、記録媒体において記録媒体の搬送方向に見当不良が発生した状態、すなわち画像が記録媒体の搬送方向にずれて印刷された状態である。また、「Side Misregistrarion」とは、いわゆる針とび見当不良であり、画像形成部２２による画像形成において、記録媒体において引き針方向に見当不良が発生した状態、すなわち画像が記録媒体の搬送方向と交差する方向にずれて印刷された状態である。また、「Misfiring Nozzle」とは、画像形成部２２による画像形成において、画像を形成するためのインクを吐出するノズルがつまる等の不良が発生し、形成された画像に白スジが形成された状態である。また、「Video Transfer Fail」とは、画像形成部２２による画像形成において、システムエラーや故障等により画像データに不良が発生し、画像の欠損が発生した状態である。また、「Eject Jammed Paper」とは、記録媒体に紙折れが生じた状態等である。また、「Paper Missing」とは、画像形成部２２において表面に画像を形成した場合にバーコード等のマークを表面に形成し、裏面に画像を形成する場合に表面に形成されているバーコードを読み取って、表面の画像と裏面の画像との組み合わせが適切であるか否かを判断した結果、適切ではないと判断された状態である。なお、損紙の原因がこれらに限定されないことは言うまでもない。
【００４７】
対応関係画像６２の色画像６２Ｂ及び文字６３Ｃを参照することで、図３に示した第１表示領域５２には、６枚目の記録媒体の表面に「Lead Misregistration」を原因とした損紙が発生しており、１１枚目の記録媒体の表面及び裏面に「Misfiring Nozzle」を原因とした損紙が発生していることがわかる。また、１５枚目の記録媒体の表面に「Lead Misregistration」を原因とした損紙が発生しており、１９枚目の記録媒体の裏面に「Eject Jammed Paper」を原因とした損紙が発生していることがわかる。
【００４８】
また、対応関係画像６２の選択ボタン６２Ａは、ユーザが再印刷を指示する場合に指定するボタンであり、本実施形態の画像形成装置１０では、ユーザは、再印刷の対象とする損紙の原因に対応する選択ボタン６２Ａを指定することにより、指定された損紙の原因に対応する損紙が全て再印刷される。
【００４９】
そして、数字６２Ｄは、再印刷の対象として指定された枚数と、対応する損紙の原因による損紙の枚数とを表している。図６における「／」の左側が再印刷の対象として指定された数であり、右側が対応する損紙の原因による損紙の枚数である。
【００５０】
一方、図３に示すように、表示画像５０の第４表示領域６４には、選択ボタン６６Ａ、選択ボタン６６Ｂ、及び選択ボタン６６Ｃが表示されている。選択ボタン６６Ａは、全ての損紙を再印刷の対象とする場合にユーザにより指定されるボタンである。選択ボタン６６Ｂは、全ての記録媒体、すなわち画像を全て再印刷の対象とする場合にユーザにより指定されるボタンである。選択ボタン６６Ｃは、再印刷の対象とする記録媒体を個別に指定する場合にユーザにより指定されるボタンである。図３では、選択ボタン６６Ｃがユーザにより指定された状態を示している。選択ボタン６６Ｃを指定した場合、ユーザは、再印刷の対象として指定する損紙（記録媒体）に対応する損紙状態表示画像５４を指定する。ユーザにより再印刷の対象とする損紙状態表示画像５４には、再印刷枚数７２が表示される。図３に示した表示画像５０では、１９枚目の損紙状態表示画像５４が再印刷の対象として指定された場合であって、損紙状態表示画像５４に再印刷枚数７２が表示された状態を示している。なお、本実施形態の画像形成装置１０では、損紙ではない記録媒体に対しても再印刷の対象とすることができる。
【００５１】
また、図３に示すように、本実施形態の表示画像５０では、指示ボタン６８及び指示ボタン６９が表示されている。指示ボタン６８は、再印刷の実行をユーザが指示する場合に、ユーザにより指定されるボタンである。また、指示ボタン６９は、表示画像５０の表示の終了をユーザが指示する場合に、ユーザにより指定されるボタンである。
【００５２】
図７には、本実施形態の制御部２０が実行する表示制御処理の流れの一例を表したフローチャートを示す。なお、本実施形態の画像形成装置１０では、画像形成部２２が複数の記録媒体に連続して画像を形成し、インラインセンサ２４が記録媒体に形成された画像を読み取って画像データを生成した場合に、制御部２０がＲＯＭ２０Ｂに記憶されている表示制御プログラムを実行することにより、図７に示した表示制御処理が実行される。
【００５３】
図７のステップＳ１００で制御部２０は、インラインセンサ２４が生成した画像データに基づいて、損紙の状態を特定する。具体的には、制御部２０は、画像が形成された複数の記録媒体の各々が損紙であるか否かを特定し、また、損紙である場合は、損紙の原因を特定する。なお、制御部２０が損紙であるか否かの特定方法及び、損紙の原因の特定方法は特に限定されない。例えば、制御部２０は、インラインセンサ２４が生成した画像データに応じた画像と、元の画像データ（画像の形成に用いた画像データ）に応じた画像とを比較した比較結果に基づいて損紙であるか否かを特定してもよい。
【００５４】
次のステップＳ１０２で制御部２０は、ステップＳ１００で特定した損紙状態に基づいて、損紙の状態を表す表示画像５０について、初期状態の表示画像５０をタッチパネルディスプレイ３５に表示させる。
【００５５】
次のステップＳ１０４で制御部２０は、ユーザによる指示（指定）のための操作を受け付けたか否かを判定する。ステップＳ１０４では、制御部２０がタッチパネルディスプレイ３５によりユーザによる操作を操作入力検出部３２により検出するまで否定判定となる。一方、制御部２０がユーザによる操作を操作入力検出部３２により検出した場合、肯定判定となりステップＳ１０６へ移行する
【００５６】
ステップＳ１０６で制御部２０は、受け付けた指示が再印刷の指示であるか否かを判定する。ユーザが指示ボタン６８以外を指定した場合はステップＳ１０６の判定が否定判定となり、ステップＳ１０８へ移行する、ステップＳ１０８で制御部２０は、受け付けた指示が終了の指示であるか否かを判定する。ユーザが指示ボタン６９以外を指定した場合はステップＳ１０８の判定が否定判定となり、ステップＳ１１０へ移行する。
【００５７】
ステップＳ１１０で制御部２０は、上述したように受け付けた指示内容に応じた画像とすべく表示画像５０を更新した後、ステップＳ１０４に戻る。
【００５８】
一方、受け付けた指示が終了の指示である場合、上記ステップＳ１０８において肯定判定となりステップＳ１１４へ移行する。
【００５９】
また、受け付けた指示が再印刷の指示である場合、上記ステップＳ１０６において肯定判定となりステップＳ１１２へ移行する。ステップＳ１１２で制御部２０は、受け付けた指示内容に応じた再印刷を画像形成部２２に実行させる。
【００６０】
ステップＳ１１４で制御部２０は、損紙に関する予め定められた情報及び再印刷に関する予め定められた情報を、Ｉ／Ｆ部３６を介して予め定められた外部の装置に通知した後、本表示制御処理を終了する。損紙に関する予め定められた情報としては、例えば、損紙の枚数や損紙の位置（何枚目であるか）に関する情報等が挙げられる。また、再印刷に関する予め定められた情報としては、例えば、再印刷される記録媒体の枚数や再印刷される記録媒体の位置（何枚目であるか）に関する情報等が挙げられる。また、予め定められた外部の装置とは、例えば、画像形成装置１０による画像形成の前の工程が行われる装置や後の工程が行われる装置等が挙げられる。なお、画像形成の前の工程や後の工程を人手で行う場合、これらの工程の担当者が有する端末装置が外部の装置となる。画像形成の前の工程とは、希望の大きさに裁断して記録媒体を準備する工程等が挙げられる。また、画像形成の後の工程とは、再印刷された記録媒体と損紙とを入れ替える工程等が挙げられる。
【００６１】
以上説明したように、本実施形態の画像形成装置１０は、画像形成部２２により複数の記録媒体に連続して画像が形成された場合に、複数の記録媒体の各々が損紙であるか否か、かつ損紙については損紙の原因を表す損紙情報を制御部２０が取得し、取得した損紙情報に応じて、記録媒体毎に損紙であるか否かを特定し、かつ損紙である場合は損紙の原因が判別可能な損紙状態表示画像５４を、画像が形成された時系列順に並べてタッチパネルディスプレイ３５の表示画像５０の第１表示領域に表示させる制御を行う。
【００６２】
また、損紙状態表示画像５４は、その記録媒体が連続して画像が形成さ記録媒体のうちの何枚目に当たるかを表す用紙番号５４Ａと、その記録媒体の表面が損紙であるか否かを表す画像５４Ｂと、裏面が損紙であるか否かを表す画像５４Ｃと、が含まれており、その記録媒体が損紙である場合はさらに、画像５４Ｂ及び画像５４Ｃは、損紙の原因毎に色が異なっている。
【００６３】
このように本実施形態の画像形成装置１０では、タッチパネルディスプレイ３５に表示された表示画像５０が損紙状態表示画像５４を含む。そのため、ユーザは、表示画像５０によって、損紙が発生している位置（何枚目か）、損紙が発生している面（表面、裏面、及び両面のいずれか）、及び損紙の原因について容易に、例えば一目で認識することができる。これにより、ユーザは、損紙の状況を確認した結果、再印刷の対象を容易に、タッチパネルディスプレイ３５を介して指示することができる。
【００６４】
従って、本実施形態の画像形成装置によれば、ユーザは、損紙が生じた場合の再印刷を容易に行うことができる。
【００６５】
また、本実施形態の画像形成装置１０では、損紙ではない記録媒体に対しても再印刷の対象とすることができる。そのため、本実施形態の画像形成装置１０によれば、例えば、損紙と損紙との間に、損紙ではない記録媒体が挟まれているような場合であっても、損紙間の損紙ではない記録媒体も含めて、まとめて再印刷の対象とすることができる。これにより、再印刷された記録媒体を損紙と差し替える場合の手間を簡略化することができる。
【００６６】
なお、本実施形態で説明した画像形成装置１０の構成及び動作等は一例であり、本発明の主旨を逸脱しない範囲内において状況に応じて変更可能であることはいうまでもない。例えば、本実施形態では、画像形成装置１０が、本開示の情報処理装置の機能を有し、タッチパネルディスプレイ３５に表示画像５０を表示させる形態について説明したが、他の装置の表示部に表示画像５０させる形態としてもよい。例えば、図８に示した情報処理装置１２のような、画像形成装置１０のユーザが携帯する情報処理装置１２に表示画像５０を表示させてもよい。図８に示すように、情報処理装置１２は、制御部１００、記憶部１０２、表示部駆動部１０４、表示部１０６、操作入力検出部１０８、操作部１１０、及びＩ／Ｆ部１１２を備える。
【００６７】
制御部１００、記憶部１０２、表示部駆動部１０４、操作入力検出部１０６、及びＩ／Ｆ部１１２は、システムバスやコントロールバス等のバス１１５を介して相互に各種情報の授受が可能に接続されている。
【００６８】
制御部１００は、情報処理装置１２の全体の動作を制御する。制御部１００は、ＣＰＵ１００Ａ、ＲＯＭ１００Ｂ、及びＲＡＭ１００Ｃを備える。ＲＯＭ１００Ｂには、ＣＰＵ１００Ａで実行される各種のプログラム等が予め記憶されている。ＲＡＭ１００Ｃは、各種データを一時的に記憶する。記憶部１０２には、Ｉ／Ｆ部３６を介して受け付けた画像形成装置１０から受け付けた各種情報等が記憶される。記憶部１０２の具体例としては、ＨＤＤやＳＳＤ等が挙げられる。図９に示した場合では、情報処理装置１２の制御部１００が、本開示の取得部、制御部、第１受付部、第２受付部出力部、及び通知部の一例に対応する。
【００６９】
表示部１０６は、上述した表示画像５０等を表示する。表示部駆動部２８は、制御部１００による制御に応じて表示部１０６への表示画像５０等の表示を制御する。操作部１１０は、再印刷に関する指示を含む、画像形成に関する指示等をユーザが入力するために用いられる。操作部１１０は特に限定されるものではなく、例えば、タッチパネル、タッチペン、キーボード、及びマウス等が挙げられる。また、画像形成装置１０と同様に、操作部１１０と表示部１０６とを一体化してタッチパネルディスプレイ１１１としている。操作入力検出部１０８は、操作部１１０に対する操作状態を検出する。Ｉ／Ｆ部１１２は、無線通信または有線通信により、外部装置との間で各種情報の通信を行う。
【００７０】
例えば、この場合の情報処理装置１２の制御部１００は、タッチパネルディスプレイ１１１を操作したユーザから、画像形成装置１０で連続して形成された記録媒体における損紙の状況を確認する指示を受け付けると、図９に示した表示制御処理を実行し、表示画像５０をタッチパネルディスプレイ１１１に表示させる制御を行う。図９には、情報処理装置１２の制御部１００が実行する表示制御処理の流れの一例を表したフローチャートを示す。制御部１００がＲＯＭ１００Ｂに記憶されている表示制御プログラムを実行することにより、図９に示した表示制御処理が実行される。
【００７１】
図９に示した表示制御処理は、画像形成装置１０の制御部２０で実行される表示制御処理（図７参照）のステップＳ１００に替わりステップＳ１０１の処理を実行し、ステップＳ１１２の替わりにステップＳ１１３の処理を実行する点で異なっている。
【００７２】
図９に示したステップＳ１０１で制御部１００は、Ｉ／Ｆ部１１２を介して画像形成装置１０から、画像形成装置１０の制御部２０が特定した損紙の情報を取得する。なお、画像形成装置１０の制御部２０が損紙の情報を特定し、制御部１００が画像形成装置１０から損紙の情報を取得するのに替えて、情報処理装置１２の制御部１００が画像形成装置１０のインラインセンサ２４が生成した画像データを取得し、取得した画像データに基づいて損紙の情報を特定してもよい。
【００７３】
また図９に示したステップＳ１１３で制御部１００は、受け付けた指示内容に応じた再印刷を実行するための再印刷実行指示をＩ／Ｆ部１１２を介して画像形成装置１０に出力する。再印刷実行指示が入力された画像形成装置１０の制御部２０は、入力された再印刷実行指示に応じた再印刷を画像形成部２２に実行させる。
【００７４】
また、本実施形態では、損紙の原因に応じて損紙状態表示画像５４の画像５４Ａ及び画像５４Ｂの色を異ならせる形態について説明したが、損紙の原因を判別するための情報の表示は色を異ならせることに限定されない。例えば、図１０に示すように、損紙の原因を判別するための記号やアイコン等のマーク８０を損紙状態表示画像５４に重畳させて表示させる形態としてもよいし、損紙の原因そのものも含め、損紙の原因を判別するための文字を損紙状態表示画像５４に重畳させて表示させる形態としてもよい。なお、図１０に示した表示画像５０では、図３に示した表示画像５０の第３表示領域６０における対応関係画像６２の色画像６２Ｂに替わり、損紙の原因に対応するマークを表すマーク画像６２Ｅが表示される。
【００７５】
また、上記実施形態でＣＰＵがソフトウェア（プログラム）を実行することにより実行した表示制御処理を、ＣＰＵ以外の各種のプロセッサが実行してもよい。この場合のプロセッサとしては、ＦＰＧＡ（field-programmable gate array）等の製造後に回路構成を変更可能なＰＬＤ（Programmable Logic Device）、及びＡＳＩＣ（Application Specific Integrated Circuit）等の特定の処理を実行させるために専用に設計された回路構成を有するプロセッサである専用電気回路等が例示される。また、表示制御処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【００７６】
また、上記実施の形態では、表示制御処理プログラムが画像形成装置１０のＲＯＭ２０Ｂまたは情報処理装置１２のＲＯＭ１００Ｂに予め記憶（インストール）されている形態を説明したが、これに限定されない。表示制御処理プログラムは、ＣＤ−ＲＯＭ（Compact Disk Read Only Memory）、ＤＶＤ−ＲＯＭ（Digital Versatile Disk R  ead Only Memory）、及びＵＳＢ（Universal Serial Bus）メモリ等の記録媒体に記録された形態で提供されてもよい。また、表示制御処理プログラムは、ネットワークを介して外部装置からダウンロードされる形態としてもよい。
【符号の説明】
【００７７】
１０  画像形成装置
１２  情報処理装置
２０、１００  制御部、２０Ａ、１００Ａ  ＣＰＵ、２０Ｂ、１００Ｂ  ＲＯＭ、２０Ｃ、１００Ｃ  ＲＡＭ
２１  画像読取部
２２  画像形成部
２４  インラインセンサ
２６、１０２  記憶部
２８、１０４  表示部駆動部
３０、１０６  表示部
３２、１０８  操作入力検出部
３４、１１０  操作部
３５、１１１  タッチパネルディスプレイ
３６、１１２  Ｉ／Ｆ部
３９、１１５  バス
５０  表示画像
５２  第１表示領域
５４  損紙状態表示画像、５４Ａ  用紙番号、５４Ｂ  画像、５４Ｃ  画像
５６  第２表示領域
５８  損紙位置画像、５８Ａ  バー画像、５８Ｂ  スライダ画像、５８Ｃ  数字
６０  第３表示領域
６２  対応関係画像、６２Ａ  選択ボタン、６２Ｂ  色画像、６２Ｃ  文字、６２Ｄ  数字、６２Ｅ  マーク画像
６４  第４表示領域、
６６Ａ、６６Ｂ、６６Ｃ  選択ボタン
６８、６９  指示ボタン
７２  再印刷枚数
８０  マーク
【図１】
0006716018.tif 000002
【図２】
0006716018.tif 000003
【図３】
0006716018.tif 000004
【図４】
0006716018.tif 000005
【図５】
0006716018.tif 000006
【図６】
0006716018.tif 000007
【図７】
0006716018.tif 000008
【図８】
0006716018.tif 000009
【図９】
0006716018.tif 000010
【図１０】
0006716018.tif 000011